(57)【要約】【課題】  本体、電動送風機の大幅な構造変更なく、吸引力を向上させる電気掃除機を提供する。【解決手段】  電動送風機の防振ゴムと電動送風機との間に、前記電動送風機の空気流入効率を向上させる形状のアダプタを設けた。【選択図】図６
2006075307.tif 000002
【特許請求の範囲】
【請求項１】
本体ケースと、本体ケースの後ろ側に内置される電動送風機と、前記本体ケースと前記電動送風機の中間に防振ゴムを設けた電気掃除機において、
前記防振ゴムと前記電動送風機との間に、前記電動送風機内に流入する空気の効率を高めるアダプタを配置したことを特徴とする電気掃除機。
【請求項２】
本体ケースと、本体ケースの後ろ側に内置される電動送風機と、前記本体ケースと前記電動送風機の中間に防振ゴムを設けた電気掃除機において、
前記防振ゴムと前記電動送風機との間に、前記電動送風機内に流入する空気の効率を高めるようなアダプタを配置し、配置した前記アダプタは、脱着可能であり、前記アダプタのみを取り外した状態においても運転が可能であることを特徴とした電気掃除機。
【請求項３】
本体ケースと、本体ケースの後ろ側に内置される電動送風機と、前記本体ケースと前記電動送風機の中間に防振ゴムを設けた電気掃除機において、
前記防振ゴムと前記電動送風機との間に、前記電動送風機内に流入する空気の効率を高めるようなアダプタを配置し、配置した前記アダプタの外周部は、前記電動送風機の表面と接触することを特徴とする電気掃除機。
【請求項４】
請求項２において、
前記アダプタの空気流入部分には、空気の流れの効率を高めるため、前記電動送風機の内流と同方向のリブを設けたことを特徴とする電気掃除機。
【請求項５】
請求項２において、
前記アダプタの空気流入部分には、空気の流れの効率を高めるため、前記電動送風機の内流と同方向の溝を設けたことを特徴とする電気掃除機。
【請求項６】
請求項２において、
前記アダプタの空気流入部分は、前記電動送風機の開口端の半径よりも大きいことを特徴とする電気掃除機。
【請求項７】
請求項２において、
前記アダプタの外周径は、前記電動送風機の外周径よりも小さいことを特徴とする電気掃除機。
【発明の詳細な説明】
【技術分野】
【０００１】
本発明は、家庭用電気掃除機に関する。
【背景技術】
【０００２】
一般的な電気掃除機は、電動送風機の運転により吸口から吸い込んだ含塵空気を掃除機本体に導き、この掃除機本体内の集塵部を通して塵埃が捕捉され、清浄になった空気を掃除機本体外に排気する構成となっている。
【０００３】
集塵部は、紙フィルタによるろ過によって塵埃を捕捉し、清浄になった空気を掃除機本体外に排気する方式と、集塵フィルタによるろ過によって塵埃を捕捉し、清浄になった空気を掃除機本体外に排気する方式と、サイクロン分離筒による遠心分離によって清浄になった空気と塵埃とを分離し、清浄になった空気は掃除機本体外へ、塵埃は集塵フィルタを備えた集塵部へ集塵するサイクロン分離方式がある。
【０００４】
排気をより清浄にするためには塵埃を十分に捕捉する必要がある。電動送風機を通過した空気は掃除機本体外に排気されてしまうため紙フィルタ、及び集塵フィルタは電動送風機の前に設ける構成となっている。
【０００５】
また、吸込み性能の向上と騒音低減を図るために例えば特許文献１に開示されているように、電動送風機とサポートゴム前との間に、ファンケースに設けた吸気口と同等の高さを有する壁面を設けた技術が開示されている。
【０００６】
【特許文献１】特開平6-254004号公報
【発明の開示】
【発明が解決しようとする課題】
【０００７】
上記従来の紙フィルタ方式、及び集塵フィルタ方式の電気掃除機において、排気をより清浄に保つためには、紙フィルタ、及び集塵フィルタの目を細かいものにし、塵埃を通さないものとする必要がある。しかし目が細かいフィルタは通気抵抗が大きく、圧力損失が高くなる。圧力損失が高くなると、掃除機本来の性能である吸引力が低下し、ゴミが吸わない等の不具合が発生する。
【０００８】
このため本体構造としては、圧力損失を低減するため、本体と接続しているホースや、その先に吸口と連結している伸縮継ぎ手管の内外径を大きくする必要があるが、ホース、伸縮継ぎ手管の径拡大は使い勝手の悪さ、本体構造の大幅変更等、使う側も造る側も非常に悪影響を及ぼす。
【０００９】
その他の方法として、電動送風機の性能向上による吸引力の低下防止策があるが、電動送風機の性能向上は非常に難しく、仮に性能向上しても騒音、振動大等の問題が発生する。
【００１０】
また、特許文献１に記載の技術においては、電動送風機の運転と共に負圧によりサポートゴムが変形してしまうので、気流の流れに乱れが生じるという欠点があった。
【００１１】
本発明は、上記の問題を考慮し、本体構造の大幅改造を行わず、簡単な構造でしかも電動送風機の性能も現状態で、掃除機本来の性能である吸引力を向上させる電気掃除機を提供することを目的とする。
【課題を解決するための手段】
【００１２】
本発明は、本体ケースと電動送風機の間に防振ゴムを備えた電気掃除機において、前記防振ゴムと前記電動送風機の間に、前記電動送風機の空気流入効率を向上させるような形状のアダプタを設けたことを特徴とする。
【００１３】
また、前記アダプタは脱着可能であり、前記アダプタのみを取り外した状態においても電気掃除機は運転可能であることを特徴とする。
【００１４】
また、前記アダプタの空気流入部分には、空気の流れの効率を高めるため、前記電動送風機の内流と同方向の溝、または前記電動送風機の内流と同方向のリブを設けたことを特徴とする。
【００１５】
また、前記アダプタは前記電動送風機の開口端の半径よりも大きいことを特徴とする。
【発明の効果】
【００１６】
本発明によれば、本体構造の大幅改造を行わず、電動送風機の性能も現状態で、掃除機本来の性能である吸引力の向上を図ることができる。
【００１７】
また、アダプタは脱着可能であるため、取り外した状態においても電気掃除機は運転可能であることから、電動送風機の構造変更を行わず性能向上を図ることができる。
【発明を実施するための最良の形態】
【００１８】
本発明の実施例を図面を引用して説明する。
【００１９】
図１は、本発明の一実施例を示す電気掃除機の外観斜視図である。図２は、この掃除機本体の斜視図である。図３は、この掃除機本体の本体ケースユニットを上部から見た図である。図４は、この掃除機本体の断側面図である。図５は、電動送風機ユニットの斜視図である。図６は、本発明のアダプタの断側面図である。図７は、本発明のアダプタが装着した状態のこの本体の断側面図である。図８、及び図９は、本発明のアダプタの改良正面図である。
【００２０】
この実施例における電気掃除機は、図１に示すように、掃除機本体１とホース２と手元操作管３と伸縮継ぎ手４と吸口５を備え、掃除機本体１と手元操作管３をホース２で接続し、この手元操作管３に伸縮継ぎ手４を介して吸口５を接続して使用する。
【００２１】
この掃除機本体１は、図２、図３に示すように、ホース２と掃除機本体１を接合するホース口継ぎ手６と電動送風機１２、電源を供給する電源コード１３を内部に有する本体ケース７、走行用の車輪８、本体ケース７内の気密を保持する上蓋９、掃除機本体１を手持ちするためのハンドル１０、電動送風機１２によって吸気した空気を機外に排気する通路である排気フィルタ１１を有する。
【００２２】
図３に示すように、電動送風機１２の吸気力による含塵空気は、吸口５から吸気することによって吸気流と共に塵埃を吸い込み、吸い込んだ含塵空気を伸縮継ぎ手４と手元操作管３、及びホース２を介して掃除機本体１に流入する。流入した含塵空気は、ホース口継ぎ手６から集塵フィルタ１４を通過し、電動送風機保護フィルタ１５を介し電動送風機１２に吸い込まれる。この時塵埃は集塵フィルタ１４、及び電動送風機保護フィルタ１５にて捕捉し、清浄になった空気は電動送風機１２を通過し、電動送風機支持部材１６を介し、排気フィルタ１１、及び車輪８から排気される。
【００２３】
図４は掃除機本体１の断側面図である。本体ケース７の下部には、走行用に車輪８とは別にキャスター１７を有し、走行の補助をしている。本体ケース７と電動送風機１２の間には、本体ケース７と電動送風機１２の気密を保持するための防振パッキン１８を有する。この防振パッキン１８は電動送風機１２運転時の振動を本体ケース７に伝達しないような役割も兼ねている。電動送風機１２は、吸引ファン部１９と電動機部２０を有し、吸引ファン部１９を前側に、電動機部２０を後側に、かつ水平に置かれるように配置される。吸引ファン部１９の前側に備わる吸込口（電動送風機１２の吸込口、後述）は、集塵フィルタ１４の背面中央側に向くように置かれる。
【００２４】
図５は電動送風機１２のユニットの斜視図である。電動送風機１２は吸引ファン部１９に送風機吸込口２１を有し、電動機部２０に通電することにより、吸引ファン部１９内部の吸引ファン回転体２２を回転させ、送風機吸込口２１へと吸気する。送風機吸込口２１は吸引ファン回転体２２との気密を保持するため、送風機吸込口２１と吸引ファン回転体２２の間にはシールされており、送風機吸込口２１の形状はシール材を埋め込むため送風機突出部２３として突出した形状となる。吸引ファン部１９には本体ケース７との気密を保つため、電動送風機１２の吸引ファン部１９の外周には、気密を保持するための防振パッキン１８が取り付けられている。
【００２５】
図１、図４、及び図５に示すように、電動送風機１２により送風機吸込口２１へと吸い込まれる吸気は、外気から直接吸い込まれるわけではなく、吸口５、伸縮継ぎ手４、ホース２、ホース口継ぎ手６を通過し、本体ケース７でその吸気流路は拡大する。本体ケース７には吸気の抵抗となる集塵フィルタ１４と電動送風機保護フィルタ１５が備えられており、電動送風機１２の吸気力を妨げている。また本体ケース７により拡大した吸気通路は、電動送風機１２の送風機吸込口２１にて吸気流路は縮小し、空気は電動送風機１２内部に取り込まれ、排気として機外に排出される。
【００２６】
この時、電動送風機１２に吸い込まれる空気は、本体ケース７による吸気流路の拡大によって空気圧拡大損失が発生し、拡大損失から電動送風機１２の吸気力の低下が発生する。これと同様に、電動送風機１２の送風機吸込口２１に吸い込まれる空気は、本体ケース７から送風機吸込口２１へと吸気流路が縮小することによって空気圧縮小損失が発生し、縮小損失から電動送風機１２の吸気力の低下が発生する。吸気による流体の概念は、管路の開口端と外部の圧力差によって空気を吸い込むことになり、直接管路の開口端に向かうことはない。このことから、電動送風機１２に吸い込まれる空気の流れは、本体ケース７から直接送風機吸込口２１に吸い込まれるもののほかに、吸引ファン部１９の表面に当たってから送風機突出部２３を乗り越えて送風機吸込口２１に流入する空気や、防振パッキン１８と吸引ファン部１９の表面に入り込んでから、送風機突出部２３を乗り越えて送風機吸込口２１に流入する空気がある。これら本体ケース７から直接送風機吸込口２１に吸い込まれる以外の空気は、気流が乱れるため乱流となり、電動送風機１２の吸気力の妨げとなる。
【００２７】
本発明は、既記空気圧縮小損失による電動送風機１２の吸気力低減を回避するためのものである。
【００２８】
図６は本発明の実施例に係るアダプタ３０の断側面図である。アダプタ３０は一体成形品であり、その各部は電動送風機１２と防振パッキン１８間に位置するアダプタ外周円３０a、防振パッキン１８を取り付けた時、その表面が防振パッキン１８と同じ高さになるよう形成されたアダプタ表面３０b、アダプタ表面３０bより前に位置され、電動送風機１２の送風機突出部２３を隠すように構成されたアダプタ突出部３０c、アダプタ突出部３０cから電動送風機１２の送風機吸込口２１に滑らかな曲線になるよう、送風機突出部２３の径よりも大きな径を形とったアダプタ吸込口３０d、電動送風機１２の送風機突出部２３と同形状に形成されたアダプタ位置合わせ３０eにより構成されている。
【００２９】
アダプタ３０のアダプタ外周円３０ａは、電動送風機１２と防振パッキン１８に挟まれ、本体ケース７に組み込まれた時、電動送風機１２、防振パッキン１８、アダプタ３０いずれの個所からも漏れが発生しないよう、アダプタ外周円３０ａの厚さはできるだけ薄くしている。更にアダプタ外周円３０ａの先端は傾斜状になっているほうが望ましい。またアダプタ外周円３０ａの直径は、電動送風機１２の吸引ファン部１９の直径よりも小さい構成となっており、電動送風機１２、防振パッキン１８、アダプタ３０いずれの個所からも漏れが発生しないような構成となっている。
【００３０】
アダプタ３０のアダプタ表面３０bの高さは、防振パッキン１８の横方向の厚みと同寸法とすることによって、防振パッキン１８近辺に発生する乱流を低減する機能をもっている。
【００３１】
アダプタ３０のアダプタ突出部３０cは、電動送風機１２の送風機突出部２３を隠すように構成され、吸引ファン部１９の表面、またはアダプタ表面３０bに当たってから送風機突出部２３を乗り越えて、送風機吸込口２１に流入する空気により発生する乱流を低減する機能をもっている。アダプタ表面３０bとアダプタ突出部３０cの接線は乱流が発生しないよう、流線形状とする。
【００３２】
アダプタ３０のアダプタ吸込口３０dは、気流が電動送風機１２の送風機吸込口２１に滑らかに空気が入り込むよう、送風機突出部２３の径よりも大きな径を形とった形状とする。またアダプタ吸込口３０dの先端は、送風機吸込口２１に剥離が発生しないよう、傾斜状になっているほうが望ましい。
【００３３】
アダプタ３０のアダプタ位置合わせ３０eは、電動送風機１２の送風機突出部２３とアダプタ３０の位置ずれをなくすために形成されており、組み立て性を考慮し、送風機突出部２３よりも若干大きい径で構成されている。
【００３４】
図７は本発明のアダプタ３０を電動送風機１２に取り付け、本体ケース７に装着した状態の断側面図である。本体ケース７に装着した状態で、防振パッキン１８とアダプタ３０のアダプタ表面３０bの表面位置はほぼ平面となる。これにより、防振パッキン１８の段差により発生していた気流の乱れが低減され、電動送風機１２の吸気力向上を図ることができる。また、アダプタ３０のアダプタ突出部３０cが電動送風機１２の送風機突出部２３を覆う状態になっている。これにより、電動送風機１２の送風機突出部２３を乗り越え、送風機吸込口２１に流入ることにより発生していた気流の乱れが低減され、電動送風機１２の吸気力向上を図ることができる。更にアダプタ３０のアダプタ位置合わせ３０eにより、組み立て時に発生する恐れがある電動送風機１２とアダプタ３０の位置ずれによる組み立て不良の低減を図っている。
【００３５】
図８は本発明のアダプタ３０の改良品であるリブ付きアダプタ３１の正面図である。リブ付きアダプタ３１はアダプタ３０と同様、一体成形品でありその各部は、電動送風機１２と防振パッキン１８間に位置するリブ付きアダプタ外周円３１a、防振パッキン１８を取り付けた時、その表面が防振パッキン１８と同じ高さになるよう形成されたリブ付きアダプタ表面３１b、リブ付きアダプタ表面３１bより前に位置され、電動送風機１２の送風機突出部２３を隠すように構成されたリブ付きアダプタ突出部３１c、リブ付きアダプタ突出部３１cから電動送風機１２の送風機吸込口２１に滑らかな曲線になるよう、送風機突出部２３の径よりも大きな径を形とったリブ付きアダプタ吸込口３１d、リブ付きアダプタ突出部３１cとリブ付きアダプタ吸込口３１dの表面にはアダプタリブ３１eが１３ヶ設けられている構成になっている。
【００３６】
アダプタ３０と比較しリブ付きアダプタ３１は、リブ付きアダプタ突出部３１cとリブ付きアダプタ吸込口３１dの表面に、アダプタリブ３１eが突起しており、電動送風機１２の吸引ファン部１９の羽根枚数にあわせ１３ヶのリブを設けることにより、電動送風機１２の送風機吸込口２１に空気をより効率的に流入することができる。
【００３７】
図９は本発明のアダプタ３０の改良品である溝付きアダプタ３２の正面図である。溝付きアダプタ３２はアダプタ３０、及びリブ付きアダプタ３１と同様で、一体成形品である。その各部は、電動送風機１２と防振パッキン１８間に位置する溝付きアダプタ外周円３２a、防振パッキン１８を取り付けた時、その表面が防振パッキン１８と同じ高さになるよう形成された溝付きアダプタ表面３２b、溝付きアダプタ表面３２bより前に位置され、電動送風機１２の送風機突出部２３を隠すように構成された溝付きアダプタ突出部３２c、溝付きアダプタ突出部３２cから電動送風機１２の送風機吸込口２１に滑らかな曲線になるよう、送風機突出部２３の径よりも大きな径を形とった溝付きアダプタ吸込口３２d、溝付きアダプタ突出部３２cと溝付きアダプタ吸込口３２dの表面にはアダプタ溝３２eが１３ヶ設けられている構成になっている。
【００３８】
アダプタ３０と比較し溝付きアダプタ３２は、溝付きアダプタ突出部３２cと溝付きアダプタ吸込口３２dの表面に、アダプタ溝３２eが彫り込まれており、電動送風機１２の吸引ファン部１９の羽根枚数にあわせ１３個所の溝を設けることにより、電動送風機１２の送風機吸込口２１に空気をより効率的に流入することができる。
【００３９】
更に、リブ付きアダプタ３１と比較し、溝付きアダプタ３２は組み立て時に本体ケース７の部分に突起が当たらないため、組み立て性の向上が図れる。
【図面の簡単な説明】
【００４０】
【図１】本発明の実施例に係る電気掃除機の外観斜視図である。
【図２】本発明の実施例に係る掃除機本体の斜視図である。
【図３】本発明の実施例に係る掃除機本体の本体ケースユニットを上部から見た図である。
【図４】本発明の実施例に係る掃除機本体の断側面図である。
【図５】本発明の実施例に係る電動送風機ユニットの斜視図である。
【図６】本発明の実施例に係るアダプタの断側面図である。
【図７】本発明の実施例に係るアダプタを装着した状態の本体断側面図である。
【図８】本発明の実施例に係るアダプタのリブ付き改良正面図である。
【図９】本発明の実施例に係るアダプタの溝付き改良正面図である。
【符号の説明】
【００４１】
７…本体ケース、１２…電動送風機、１８…防振パッキン、３０…アダプタ、３１…改良アダプタ。
【図１】
2006075307.tif 000003
【図２】
2006075307.tif 000004
【図３】
2006075307.tif 000005
【図４】
2006075307.tif 000006
【図５】
2006075307.tif 000007
【図６】
2006075307.tif 000008
【図７】
2006075307.tif 000009
【図８】
2006075307.tif 000010
【図９】
2006075307.tif 000011